(57)【要約】  【課題】  天井埋込型空気調和機の室内機の小型化を図ると共に、吸込みの通風抵抗を小さくし、送風騒音、送風機動力を小さくする。  【解決手段】  化粧パネル１が設けられた筐体２と、筐体２内に設けられた室内熱交換器１１及び送風機６、７と、化粧パネル１の中心部に設けられた吸込みグリル３及びその周囲に配設された吹出し口５と、を有し、吸込みグリル３を介して空気を筐体２外から吸込み、室内熱交換器１１を通して吹出し口５から室内へ吹出す天井埋込型空気調和機の室内機において、化粧パネル１の吸込みグリル３と吹出し口５との間に設けられた開口部１３と、開口部１３を通って空気を筐体２外から吸込む吸込み口１４と、を備える。【選択図】  図１
2006329518.tif 000002
【特許請求の範囲】
【請求項１】
化粧パネルが設けられた筐体と、該筐体内に設けられた室内熱交換器及び送風機と、前記化粧パネルの中心部に設けられた吸込みグリル及び該吸込みグリルの周囲に配設された吹出し口と、を有し、前記吸込みグリルを介して室内空気を吸込み、前記室内熱交換器を通して前記吹出し口から室内へ吹出す天井埋込型空気調和機の室内機において、
前記化粧パネルの前記吸込みグリルと前記吹出し口との間に設けられた開口部と、
前記開口部を通って室内空気を吸込む吸込み口と、
を備えたことを特徴とする天井埋込型空気調和機の室内機。
【請求項２】
請求項１に記載のものにおいて、前記吸込みグリルはその周囲が立ち上がるように側壁が設けられ、前記吸込み口は前記側壁に設けられたことを特徴とする天井埋込型空気調和機の室内機。
【請求項３】
請求項１に記載のものにおいて、前記吸込み口は前記吸込みグリルの側面に設けられ、前記吸込みグリルの底面と前記吸込み口を覆うように設けられたフィルタを備えたことを特徴とする天井埋込型空気調和機の室内機。
【請求項４】
請求項１に記載のものにおいて、前記吸込み口は前記吸込みグリルの側面に設けられ、前記吸込みグリルの上端面にフィルタが設けられたことを特徴とする天井埋込型空気調和機の室内機。
【請求項５】
請求項１に記載のものにおいて、前記開口部を開閉可能とする部材を備え、暖房時には前記開口部を閉じることを特徴とする天井埋込型空気調和機の室内機。
【発明の詳細な説明】
【技術分野】
【０００１】
本発明は、化粧パネルに設けられた吸込みグリルから室内空気を吸いこみ、筐体内に設けられた熱交換器にて空気を冷却または加熱した後、化粧パネルの吸込みグリルの周囲あるいは周囲の一部に設けられた吹出し口から吹出す天井埋込型空気調和機の室内機に関するものである。
【背景技術】
【０００２】
筐体内に室内熱交換器と送風機とが共に格納されている室内機では、機内の通風抵抗が送風騒音や送風機動力に影響するため、吸込みグリルから吹出し口に至る空気流路の通風抵抗を低減することが低騒音化、高効率化のために重要である。そして、吸い込み口の通風抵抗を低減するために、例えば、特許文献１に記載のものでは、ベルマウスの吸込み基部を円形とし、さらに吸込みグリルに向かって開口する先端部を非円形としている。
【０００３】
【特許文献１】特開平８−１４５９３号公報
【発明の開示】
【発明が解決しようとする課題】
【０００４】
上記、従来技術においては、小型化のために、吸込みグリルの開口面積を減らすと、吸込みの通風抵抗が増大して送風騒音や送風機動力が増大する。
【０００５】
本発明の目的は、より室内機の小型化を図ると共に、吸込みの通風抵抗を小さくし、送風騒音、送風機動力を小さくすることにある。
【課題を解決するための手段】
【０００６】
上記課題を解決するため、本発明は、化粧パネルが設けられた筐体と、該筐体内に設けられた室内熱交換器及び送風機と、前記化粧パネルの中心部に設けられた吸込みグリル及び該吸込みグリルの周囲に配設された吹出し口と、を有し、前記吸込みグリルを介して室内空気を吸込み前記室内熱交換器を通して前記吹出し口から室内へ吹出す天井埋込型空気調和機の室内機において、前記化粧パネルの前記吸込みグリルと前記吹出し口との間に設けられた開口部と、前記開口部を通って室内空気を吸込む吸込み口と、を備えたものである。
【０００７】
また、上記のものにおいて、前記吸込みグリルはその周囲が立ち上がるように側壁が設けられ、前記吸込み口は前記側壁に設けられたことが望ましい。  
さらに、上記のものにおいて、前記吸込み口は前記吸込みグリルの側面に設けられ、前記吸込みグリルの底面と前記吸込み口を覆うように設けられたフィルタを備えたことが望ましい。
【０００８】
さらに、上記のものにおいて、前記吸込み口は前記吸込みグリルの側面に設けられ、前記吸込みグリルの上端面にフィルタが設けられたことが望ましい。  
さらに、上記のものにおいて、前記開口部を開閉可能とする部材を備え、暖房時には前記開口部を閉じることが望ましい。
【発明の効果】
【０００９】
本発明によれば、室内機を大きくすることなく、実質的な吸込みの開口面積を増やすことができ、通風抵抗を低減し、送風騒音及び送風機動力を低減することができる。
【発明を実施するための最良の形態】
【００１０】
以下、本発明の実施の形態を、図１から図６を参照して説明する。  
図１は一実施例を示す空気調和機の室内機の断面図、図２は本実施例における化粧パネルを示す正面図である。  
空気調和機は、冷媒が封入された冷媒循環流路に、冷媒を圧縮する圧縮機と、冷媒と室内の空気とを熱交換させる室内熱交換器と、冷媒を減圧する膨張弁と、冷媒と外気とを熱交換させる室外熱交換器とを順次配設した冷凍サイクルを備えている。このうち室内熱交換器は、室内熱交換器に室内の空気を送る送風機と共に室内機の筐体内に格納されている。  
図１において、室内機は、化粧パネル１と化粧パネル１に接続された筐体２から構成され、化粧パネル１には図２に示すように中心に吸込みグリル３を備え、その周囲の４辺にルーバ４を備えた吹出し口５が配設されており、さらに吸込みグリル３と吹出し口５の間に吸込みグリル３の周囲を囲む形で開口部１３が配置されている。ここで化粧パネル１には開口部１３が化粧パネルの筐体側から室内側に向けて拡大するようにテーパが設けられている。
【００１１】
筐体内に設置されたモータ６を駆動させてモータ６の軸に接続されたターボファン７を回転させることにより、矢印８示す様に、室内空気は吸込みグリル３、吸込みグリル３に設置されたフィルタ９、筐体内に設置されたベルマウス１０を通してターボファン７に吸い込まれ、矢印１６で示されるように室内熱交換器１１で熱交換されたあと、吹出し口５より室内に吹出される。また、室内熱交換器１１の下部には冷房時に室内熱交換器に生じる結露水を受けるためのドレンパン１２が設置され、吸込みグリル３はフィルタ９とともに化粧パネル１から着脱可能であり、フィルタ９の清掃が容易となっている。
【００１２】
さらに、吸込みグリル３は、その周囲が立ち上がるように側壁を有し、断面形状がＵ字状となり、側壁はドレンパン１の底面までに至り、化粧パネル１と共に吸入側と吹出し側とを区分けしている。さらに、吸込みグリル３の底面以外に、側壁にも吸込みグリル３と同様の桟を備え、長手方向の長さが吸込みグリル３の一辺の長さと略等しい長方形状の吸込み口１４が設けられ、この吸込み口１４に対応してフィルタ１５が設置されている。  
したがって、モータ６によりターボファン７を駆動させると、矢印８のように吸込みグリル３の底面から室内空気を吸込むとともに、矢印１７に示すように吸込み口１４からも空気を吸込む。吸込み口１４は、吸込みグリル３の側面に設けられているので、主となり、四角形状に設けられた吸込みグリル３の平面積（水平投影面積）を拡大することなく、実効上の吸込み面積を大きくとることができ、吸込み面積を大きくすることなく、通風抵抗を低減することができる。
【００１３】
図３は、フィルタ９及び１５をひとつで済むようにしたもので、ベルマウス１０と略同一面積のフィルタ１８がベルマウス１０に取り付けられ、吸込みグリル３の底面と吸込み口１４を同時に覆うようになっている。これにより、１台の室内機にフィルタ１８を一つのみ取り付ければよく、製造時のフィルタ取付の手間（作業時間）、フィルタ清掃時の着脱の手間（労力）を少なくすることができる。
【００１４】
図４は、フィルタ９及び１５をひとつとし、さらに吸込みグリル３の上端面に吸込みグリル３の水平投影面積と略同一面積のフィルタ１９として取り付けたものである。本例では、フィルタ１９が吸込みグリル３に取り付けられているため、昇降装置で吸込みグリル３を降下させればフィルタ１９を清掃できるとともに、吸込みグリル３の上端部にフィルタ１９を一つのみ取り付ければよいため、製造時のフィルタ取付の手間、フィルタ清掃時の着脱の手間を少なくすることができる。したがって、特に天井が高い場所に天井埋込カセットタイプの室内機が据付けられたとしても、フィルタの清掃が容易となる。
【００１５】
図５は、吸込みグリル３と吹出し口５の間の開口部１３を開閉可能とする部材２０を取り付けたものである。暖房時に吹出し口から吹出される空気は、室内の空気よりも暖かく、密度が小さいため、吹出し空気が天井面に向かう傾向がある。このため、吸込みグリル３と吹出し口５が近いと、吹出し空気が吹出した直後に吸込みグリルに吸込まれるショートサーキット現象が生じ、十分な暖房ができない。そこで暖房時は図６に示すように部材２０で開口部１３を塞ぎ、吸込みグリル３からのみ室内空気を吸い込ませる。これにより、ショートサーキットを防ぎ、十分な暖房を行うことができる。
【００１６】
一方、冷房時は吹出し空気が室内温度よりも冷たく、密度が大きいため、吹出し空気は下に向く傾向があり、ショートサーキットは発生しにくい。そこで、図５のように開口部１３を開け、吸込みグリル１３の周囲からも空気を吸込むようにすることで、吸込みの通風抵抗を下げ、送風騒音、送風機動力を低減することができる。
【００１７】
部材２０の開閉は冷房運転時には開、暖房運転時には閉となるように自動で駆動するようにすることが良く、暖房シーズンには閉、冷房シーズンには開となるよう、手動で切り替えることでも良い。手動で切り替える場合は、部材２０は必ずしも化粧パネルに取り付けられている必要はなく、暖房時には取り付け、冷房時には取り外すような構造が良い。さらに、部材２０を暖房時だけでなく、空気調和機停止時にも塞ぐようにすれば、空気調和機の開口部が減り、外観上の見栄えがよくなる。
【図面の簡単な説明】
【００１８】
【図１】本発明の一実施例による室内機の断面図。
【図２】本発明の一実施例による室内機の化粧パネルの正面図。
【図３】本発明の他の実施例による室内機の断面図。
【図４】さらに、他の実施例による室内機の断面図。
【図５】さらに、他の実施例による室内機の断面図。
【図６】図５のものにおいて、開口部を塞いだ状態を示す断面図。
【符号の説明】
【００１９】
１…化粧パネル、２…筐体、３…吸込みグリル、４…ルーバ、５…吹出し口、６…モータ、７…ターボファン、９…フィルタ、１０…ベルマウス、１１…室内熱交換器、１２…ドレンパン、１３…開口部、１４…吸込み口、１５…フィルタ、１８…フィルタ、１９…フィルタ、２０…部材。
【図１】
2006329518.tif 000003
【図２】
2006329518.tif 000004
【図３】
2006329518.tif 000005
【図４】
2006329518.tif 000006
【図５】
2006329518.tif 000007
【図６】
2006329518.tif 000008